(57)【要約】【課題】限られた小型の浴室床面積であってもゆったりと足を伸ばして入浴できる充分な長手寸法を有する浴槽を提供可能なユニットバスを得る。【解決手段】横幅方向の内寸法が１１００ｍｍから１４００ｍｍ、この横幅方向の内寸法より長い長手方向の内寸法が１４００ｍｍから１８００ｍｍの浴室床面積のユニットバスであって、浴槽の長手方向をユニットバスの長手方向と平行に配置した。【選択図】図２
2007181533.tif 000002
【特許請求の範囲】
【請求項１】
横幅方向の内寸法が１１００ｍｍから１４００ｍｍ、該横幅方向の内寸法より長い長手方向の内寸法が１４００ｍｍから１８００ｍｍのユニットバスであって、浴槽の長手方向をユニットバスの長手方向と平行に配置したことを特徴とするユニットバス。
【請求項２】
前記浴槽の長手方向の一方の上部に該長手方向に伸長する長手端リム部が形成され、該長手端リム部に浴槽排水栓の遠隔操作部が設けられていることを特徴とする請求項１に記載のユニットバス。
【請求項３】
前記浴槽の長手方向の他方の上部に該長手方向に伸長する長手端リム部が形成され、該長手端リム部にヘッドレストが形成されていることを特徴とする請求項１又は２に記載のユニットバス。
【請求項４】
前記長手端リム部の幅が約９０ｍｍ〜１１０ｍｍ前後であることを特徴とする請求項２又は３に記載のユニットバス。
【請求項５】
前記浴槽の横幅方向の少なくとも一方の上部に横幅方向に拡がる横幅端リム部が形成されており、該横幅端リム部の幅が実質的に約４０ｍｍであることを特徴とする請求項１から４のいずれか１項に記載のユニットバス。
【請求項６】
前記浴槽内に半身浴用ステップが形成されていることを特徴とする請求項１から５のいずれか１項に記載のユニットバス。
【請求項７】
前記浴槽の平面視形状が、実質的に長方形であることを特徴とする請求項１から６のいずれか１項に記載のユニットバス。
【請求項８】
前記浴槽の平面視形状が、実質的に長方形から長手方向の一方の端部を斜め直線状に切り欠いた形状であることを特徴とする請求項１から７のいずれか１項に記載のユニットバス。
【発明の詳細な説明】
【技術分野】
【０００１】
本発明は、長手方向及び横幅方向の内寸法が互いに異なるユニットバスに関する。
【背景技術】
【０００２】
一般に、縦横の内寸法が互いに異なる長方形のユニットバスでは、洗い場にある程度の奥行きを持たせるため、短い内寸法の方向（横幅方向）が浴槽の長手方向となるように設計されている（例えば特許文献１）。
【０００３】
図１６は１２１６サイズの従来のユニットバスの基本的構造を概略的に示す平面図である。
【０００４】
同図に示すように、従来の１２１６サイズ（内寸が１２００ｍｍ×１６００ｍｍ）のユニットバスでは、１６００ｍｍの長い内寸法を有する辺を２つに分割して浴槽１０と洗い場１１とに振り分けるように設計されている。これは、洗い場１１に出入口の折戸１２を設けることもあって、この洗い場１１に充分なスペースを与えるためになされている。このような従来の構造によると、浴槽１０の長手寸法が、その上部で１０００〜１１００ｍｍ程度（底部で９００〜１０００ｍｍ程度）となってしまう。
【０００５】
【特許文献１】特開平９-１９５５３９号公報
【発明の開示】
【発明が解決しようとする課題】
【０００６】
１２１６サイズのユニットバスは、床面積が主に３０ｍ２前後のマンション、例えば１ＬＤＫ、１ＤＫクラスのマンションに多く使用されている。このクラスのマンションの居住者は、子供のいない夫婦や独身者が多いことから、浴室に対する意識が高く、より豊かなバス空間を提供することが要求される。
【０００７】
しかしながら、従来の１２１６サイズのごとく限られた浴室床面積用のユニットバスでは、浴槽と洗い場とが上述したように配置されるため、浴槽の長手寸法を充分にとることができず、ゆったりと足を伸ばしたり、半身浴を行なったりすることが不可能であり、豊かなバス空間を提供することが難しかった。
【０００８】
従って本発明の目的は、限られた浴室床面積であっても充分な長手寸法を有する浴槽を提供可能なユニットバスを得ることにある。
【課題を解決するための手段】
【０００９】
本発明によれば、横幅方向の内寸法が１１００ｍｍから１４００ｍｍ、この横幅方向の内寸法より長い長手方向の内寸法が１４００ｍｍから１８００ｍｍのユニットバスであって、浴槽の長手方向をユニットバスの長手方向と平行に配置したユニットバスが提供される。
【００１０】
浴槽の長手方向をユニットバスの長い内寸法を有する辺、即ちユニットバスの長手方向と平行に配置しているため、限られた浴室床面積であっても浴槽の長手寸法を充分に大きくとれ、その結果、ゆったりと足を伸ばしたり、半身浴を行なったりすることが可能となり、豊かなバス空間を提供することができる。
【００１１】
浴槽の長手方向の一方の上部にこの長手方向に伸長する長手端リム部が形成されており、この長手端リム部に浴槽排水栓の遠隔操作部が設けられていること、及び／又は浴槽の長手方向の他方の上部にこの長手方向に伸長する長手端リム部が形成されており、この長手端リム部にヘッドレストが形成されていることが好ましい。
【００１２】
長手端リム部の幅が約９０ｍｍ以上であることも好ましい。この場合、長手端リム部の幅が実質的に１１０ｍｍであることがより好ましい。これにより、この長手端リム部にヘッドレストや浴槽排水栓の遠隔操作部を設けることが可能となる。
【００１３】
浴槽の横幅方向の少なくとも一方の上部にこの横幅方向に拡がる横幅端リム部が形成されており、横幅端リム部の幅が実質的に約４０ｍｍであることが好ましい。これにより、浴槽への出入りにちょうど良い握り幅が得られ、手すりとして機能できる。
【００１４】
浴槽内に半身浴用ステップが形成されていることも好ましい。
【００１５】
浴槽の平面視形状が、実質的に長方形、実質的に長方形から長手方向の一方の端部を斜め直線状に切り欠いた形状、又は実質的に長方形から長手方向の一方の端部を斜め曲線状に切り欠いた形状であることが好ましい。斜めに切り欠いた側に折戸を配置することが可能で、切り欠いた側がいずれに位置しても折戸が配置可能となる。
【発明の効果】
【００１６】
本発明によれば、この種の小型ユニットバスの限られた浴室床面積であっても浴槽の長手寸法を充分に大きくとれ、その結果、ゆったりと足を伸ばしたり、半身浴を行なったりすることが可能となり、豊かなバス空間を提供することができる。
【００１７】
本発明の請求項２〜４によれば、浴槽の長手方向の長手端リム部を広く構成することができ、この種の小型ユニットバスでは配置できなかった浴槽排水栓の遠隔操作部やヘッドレストなどを設備することができる。その結果、入浴時における頭部周りと脚部周りとに広さの余裕と設備の余裕とを感じさせることができる。
【００１８】
本発明の請求項５によれば、ユニットバスと浴槽の長手方向を並行配置しても洗い場を確保することができるうえに、横幅端リム部を浴槽への出入りにちょうど良い手すりとして利用することができる。
【００１９】
本発明の請求項８によれば、長手方向の一方の端部を斜めに切り欠いた側に折戸を配置することができる。したがって、切り欠いた側がいずれに位置しても折戸を配置可能となり、居住空間の間取りの自由度を大きくすることができる。
【発明を実施するための最良の形態】
【００２０】
図１は本発明の一実施形態におけるユニットバスの基本的構造を概略的に示す平面図であり、図２は図１の実施形態におけるユニットバスの構造をより詳しく説明する斜透視図であり、図３は図１の実施形態におけるユニットバスの構造をより詳しく説明する平面図であり、図４は図１の実施形態におけるユニットバスの浴槽の利用形態を説明する要部断面図であり、図５は図１のＡ−Ａ線部分の横幅端リム部の拡大断面図である。
【００２１】
図１に示すように、本実施形態においては、１２１６サイズ（内寸が１２００ｍｍ×１６００ｍｍ）のユニットバスの１２００ｍｍの短い内寸法を有する辺を２つに分割して浴槽２０と洗い場２１とに振り分けるように設計されている。換言すれば、浴槽２０の長手方向がユニットバスの１６００ｍｍの長い内寸法を有する辺と平行となるように配置されている。浴槽２０は、その平面視形状がほぼ長方形である。
【００２２】
洗い場２１としては、座ってシャワーを浴びるためには、その横幅寸法（短手幅）が５００ｍｍ以上であることが必要である。幅を５００ｍｍ以上とすることにより、出入口の折戸２２をユニットバスの１６００ｍｍの長い内寸法を有する辺に設けた場合、その開閉にも支障がない。一方、浴槽２０としては、横幅方向の内寸（短手幅）が、上部で６００ｍｍ、底部で５００ｍｍ以上であることが望ましい。
【００２３】
本実施形態では、洗い場２１の幅を５００ｍｍ、浴槽２０の上部の内寸幅を６００ｍｍとし、浴槽２０の上部にその幅方向に拡がる横幅端リム部２０ａ及び２０ｂの幅をそれぞれ４０ｍｍとしている。リム部２０ａ及び２０ｂのこの幅は、浴槽への出入りにちょうど良い握り幅であり、手すりとしての機能を果たす。
【００２４】
横幅端リム部２０ａは、その下端に前面板２６をほぼ同一面に一体取り付けして構成される。前面板２６の上端はＬ字形に曲げられ、Ｌ字形部分２６ａにリム部２０ａの下端を突合せ、コーキング２７により水密接続される（図５参照）。
その結果、横幅端リム部２０ａは、洗い場２１の面積を圧迫することなく取り付けされ、前面板２６と一体化されるので、指先で握持できる手すりとなる。
【００２５】
さらに、本実施形態では、浴槽２０の長手方向には余裕が生じるため、その上部で長手方向に拡がる長手端リム部２０ｃ及び２０ｄの幅をそれぞれ１１０ｍｍとしている。
【００２６】
このような比較的大きな幅を持たせることにより、これら長手端リム部２０ｃ及び２０ｄにヘッドレストや浴槽排水栓の遠隔操作部を設けることが可能となる。即ち、図２及び図３に示すように、一方の長手端リム部２０ｃには、ヘッドレスト２３が設けられ、他方の長手端リム部２０ｄには、浴槽２０のプッシュアップ排水栓２４ａ用の押しボタン操作部２４ｂが設けられている。プッシュアップ排水栓２４ａと押しボタン操作部２４ｂとは、図４に示すように、ワイヤ２４ｃで連結されており、押しボタン操作部２４ｂの押下等で排水栓２４ａの開閉を遠隔操作することができる。
【００２７】
なお、長手端リム部の幅は、本実施形態では１１０ｍｍとしているが、９０ｍｍ以上であれば、ヘッドレストや排水栓用の遠隔操作部を設けることが可能となる。
【００２８】
図４から分かるように、本実施形態によれば、１２１６サイズという限られた浴室床面積であっても、浴槽２０の長手方向に充分な寸法（浴槽の底部で１２００〜１３００ｍｍ程度）が得られるため、ゆったりと足を伸ばすことが可能となり、豊かなバス空間を提供することができる。図中２８は浴槽２０の脚部、２９は長方形パン状を呈する底板である。
【００２９】
なお、説明を簡単にするため、本実施形態では図示が省略されているが、洗い場２１の壁面部に、洗面台、シャワー、ミラー、照明器具及び／又は収納ラック等を設けても良い。
【００３０】
また、本実施形態において、出入口の位置は、図１及び図２に示した位置に限定されるものではなく、ユニットバスの１６００ｍｍの長い内寸法を有する辺のどの位置に設けても良い。また、ヘッドレスト及び排水栓用の押しボタン操作部を互いに入れ換えた反対側の位置に設けても良い。
【００３１】
図６は本発明の他の実施形態におけるユニットバスの構造をより詳しく説明する斜透視図であり、図７及び図８は図６の実施形態におけるユニットバスの浴槽の利用形態を説明する図である。
【００３２】
図６に示すように、本実施形態では、浴槽２０内に半身浴用ステップ２５が設けられている。本実施形態におけるその他の構成は図２の実施形態の場合とほぼ同様である。従って、図６において、図２と同じ構成要素には同じ参照番号が使用されている。
【００３３】
浴槽２０の長手方向に充分な寸法（浴槽の底部で１２００〜１３００ｍｍ程度）が得られるため、このクラスでは考えられない半身浴用ステップ２５（例えば高さ２００ｍｍ、出幅２５０〜３５０ｍｍ）を設けることが可能となる。
【００３４】
図７から分かるように、本実施形態によれば、１２１６サイズという限られた浴室床面積であっても、浴槽２０の長手方向に充分な寸法が得られるため、半身浴用ステップ２５を設けた場合にも体を浴槽内に浸けることができる。図示しないが、半身浴ステップ２５の上面に足をゆっくり伸ばすことも可能である。また、図８から分かるように、半身浴用ステップ２５にゆったり腰掛けて半身浴を行なうことができる。このように、半身浴を行なうことが可能であるため、豊かなバス空間を提供することができる。なお、図７及び図８においては、浴槽排水栓２４ａ′が遠隔操作型ではなく、密閉栓を直接操作するものであり、このような変更態様も可能であることを表している。
【００３５】
本実施形態のその他の作用効果、変更態様等は図２の実施形態の場合とほぼ同様である。
【００３６】
なお、本実施形態において、出入口の位置は、図１及び図２に示した位置に限定されるものではなく、ユニットバスの１６００ｍｍの長い内寸法を有する辺のどの位置に設けても良い。また、ヘッドレストと半身浴用ステップ及び排水栓用の押しボタン操作部とを互いに入れ換えた反対側の位置に設けても良い。
【００３７】
図９は図６の実施形態における半身浴用ステップの種々の変更態様を示す平面図である。
【００３８】
本発明には、同図（Ａ）〜（Ｇ）に示すような種々の平面形状の半身浴用ステップ２５ａ〜２５ｇ、さらにその他の形状の半身浴用ステップを適用することが可能である。同図（Ａ）は出幅壁を中央部で膨出させた形状で半身浴スペースを広くできる。同図（Ｂ）は出幅壁を中央部で湾曲収縮させた形状で、足の伸ばすスペースを広く設定したものであり、横幅端リム部側での下肢の腰掛が容易である。同図（Ｃ）は出幅壁を直線状とした形状である。同図（Ｄ）は一方の横幅端リム部側で出幅壁を凸状として他方で凹状とした波形状とし、半身浴スペースと足伸ばしスペースとを兼備させたものである。同図（Ｅ）は出幅壁を中央部のみで突出させ、横幅端リム部側で足伸ばしスペースを確保した形状である。同図（Ｆ）は出幅壁を中央部のみで凹状にさせて足伸ばしスペースを確保した形状である。同図（Ｇ）は出幅壁を一方の横幅端リム部側のみが凸状に突出した形状で、他方での足伸ばしスペースを確保したものである。
【００３９】
以上述べた実施形態及び変更態様は、１２１６サイズのユニットバスに関するものであるが、本発明は、縦方向と横方向の長さが異なるユニットバス、即ち横幅方向の内寸法が１１００ｍｍから１４００ｍｍ、この横幅方向の内寸法より長い長手方向の内寸法が１４００ｍｍから１８００ｍｍであり、内寸の平面形状が実質的に長方形であるユニットバスであれば、いずれのサイズであっても適用可能である。即ち、例えば、内寸が１１００ｍｍ×１４００ｍｍの１１１４サイズ、内寸が１３００ｍｍ×１７００ｍｍの１３１７サイズ、内寸が１４００ｍｍ×１８００ｍｍの１４１８サイズにも適用可能である。
【００４０】
図１０は本発明のさらに他の実施形態におけるユニットバスの構造を詳しく説明する平面図、図１１は図１０の底盤部分の斜視図である。
【００４１】
図１０に示すように、本実施形態においては、１１１４サイズ（内寸が１１００ｍｍ×１４００ｍｍ）のユニットバスの１１００ｍｍの短い内寸法を有する辺を２つに分割して浴槽１００と洗い場１０１とに振り分けるように設計されている。換言すれば、浴槽１００の長手方向がユニットバスの１４００ｍｍの長い内寸法を有する辺と平行となるように配置されている。浴槽１００は、その平面視形状が長方形からその１つの角を直線状で斜めに切り欠いた切欠部１００ｅとなっている。
【００４２】
図１１に示すように、上記切欠部１００ｅに対応して浴槽側ユニットパン２９の長手方向の両側に切欠部３０、３０を設けることができる。そして、一方の切欠部３０（図中左側）には略三角形状のアジャスタ３１を配置して浴槽側ユニットパン２０の角部を構成する。アジャスタ３１は浴槽側ユニットパン２９の立上壁と同程度の厚みとし、抜き差し自在またはその後に固定して配置される。その結果、図１０における左側角部と同一の底板形状が構成される。
【００４３】
本実施形態によれば、出入口の折戸２２をユニットバスの１１００ｍｍの短辺に設けた場合、浴槽１００の１つの角が斜めの切欠部１００ｅであるため、その開閉にも支障がない。
【００４４】
また、本実施形態において、出入口の位置は、図１０に示した位置に限定されるものではなく、ユニットバスの１４００ｍｍの長い内寸法を有する辺のどの位置に設けても良い。
【００４５】
図１２は本発明のさらに他の実施形態におけるユニットバスの構造を詳しく説明する平面図である。
【００４６】
同図に示すように、本実施形態では、浴槽１００′の平面視形状が長方形からその１つの角を図１０の実施形態よりもより長い距離の直線部分で斜めに切り欠いた切欠部１００ｅ′となっている。
【００４７】
このように、本実施形態において、出入口の折戸２２をユニットバスの１１００ｍｍの短辺に設けた場合、浴槽１００′の１つの角が斜めに切り欠いてあるため、その開閉に支障が全くなく、大きな折戸の設置も可能となる。
【００４８】
図１３は本発明のさらに他の実施形態におけるユニットバスの構造を詳しく説明する平面図である。
【００４９】
同図に示すように、本実施形態では、浴槽１００″の平面視形状が長方形からその１つの角を曲線部分１００ｅ″で斜めに切り欠いた形状となっている。
【００５０】
このように、本実施形態において、出入口の折戸をユニットバスの１１００ｍｍの短辺に設けた場合、浴槽１００″の１つの角が斜めに切り欠いてあるため、その開閉に支障が全くなく、大きな折戸の設置が可能となる。
【００５１】
図１４は本発明の別の実施形態における底盤部分の斜視図である。
【００５２】
浴槽側ユニットパン２９は、長手方向の両側に切欠部３０、３０を設けたもので、図１１と同一形状である。浴槽の切欠部と折戸を図１０の左側に配置する場合には、右側の切欠部３０に略三角形状のアジャスタ３１を配置して浴槽側ユニットパン２０の角部を構成する。その結果、図１０の左側角部に斜めの切欠部を設けられ、浴槽の切欠部に一致する。
【００５３】
図１５は本発明の別の実施形態における横幅端リム部の拡大斜視図である。
【００５４】
横幅端リム部２０ａは、その下端に前面板３２を一体取り付けされ、前面板３２にはタイルなどの化粧材３３が貼り付けられて構成される。化粧材３３は上端がＬ字形に曲げられ、Ｌ字形部分３３ａにリム部２０ａの下端を突合せ、コーキング２７により水密接続される（図１５参照）。
その結果、横幅端リム部２０ａの下端から化粧材３３が僅かに突出するが、横幅端リム部２２ａあるいは化粧材３３までてすりとして把持することができるうえに、洗い場２１の面積を圧迫することなく化粧を演出できることとなる。
【００５５】
以上述べた実施形態は、１１１４サイズのユニットバスに関するものであるが、本発明は、縦方向と横方向の長さが異なるユニットバス、即ち横幅方向の内寸法が１１００ｍｍから１４００ｍｍ、この横幅方向の内寸法より長い長手方向の内寸法が１４００ｍｍから１８００ｍｍであり、内寸の平面形状が実質的に長方形であるユニットバスであれば、いずれのサイズであっても適用可能である。即ち、例えば、内寸が１２００ｍｍ×１６００ｍｍの１２１６サイズ、１３００ｍｍ×１７００ｍｍの１３１７サイズ、内寸が１４００ｍｍ×１８００ｍｍの１４１８サイズにも適用可能である。
【００５６】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【図面の簡単な説明】
【００５７】
【図１】本発明の一実施形態におけるユニットバスの基本的構造を概略的に示す平面図である。
【図２】図１の実施形態におけるユニットバスの構造をより詳しく説明する斜透視図である。
【図３】図１の実施形態におけるユニットバスの構造をより詳しく説明する平面図である。
【図４】図１の実施形態におけるユニットバスの浴槽の利用形態の一例を説明する図である。
【図５】図１のＡ−Ａ線部分の横幅端リム部の拡大断面図である。
【図６】本発明の他の実施形態におけるユニットバスの構造をより詳しく説明する斜透視図である。
【図７】図６の実施形態におけるユニットバスの浴槽の利用形態の一例を説明する図である。
【図８】図６の実施形態におけるユニットバスの浴槽の利用形態の一例を説明する平面図である。
【図９】図６の実施形態における半身浴用ステップの種々の変更態様を示す平面図である。
【図１０】本発明のさらに他の実施形態におけるユニットバスの構造を詳しく説明する平面図である。
【図１１】図１０の底盤部分の斜視図である。
【図１２】本発明のまたさらに他の実施形態におけるユニットバスの構造を詳しく説明する平面図である。
【図１３】本発明のさらに他の実施形態におけるユニットバスの構造を詳しく説明する平面図である。
【図１４】他の実施形態における底盤部分の斜視図である。
【図１５】横幅端リム部の他の実施形態を示す拡大断面図である。
【図１６】１２１６サイズの従来のユニットバスの基本的構造を概略的に示す平面図である。
【符号の説明】
【００５８】
１０、２０、１００、１００′、１００″  浴槽
１１、２１、１０１  洗い場
１２、２２  折戸
２０ａ、２０ｂ、１００ａ、１００ｂ  横幅端リム部
２０ｃ、２０ｄ、１００ｃ、１００ｄ  長手端リム部
２３  ヘッドレスト
２４ａ  プッシュアップ排水栓
２４ａ′  排水栓
２４ｂ  押しボタン操作部
２４ｃ  ワイヤ
２５、２５ａ、２５ｂ、２５ｃ、２５ｄ、２５ｅ、２５ｆ、２５ｇ  半身浴用ステップ
２６    前面板
２７    コーキング
２８    脚部
２９    浴槽側ユニットパン
３０    切欠部
３１    アジャスタ
１００ｅ、１００ｅ′  切欠部
１００ｅ″  切欠部
【図１】
2007181533.tif 000003
【図２】
2007181533.tif 000004
【図３】
2007181533.tif 000005
【図４】
2007181533.tif 000006
【図５】
2007181533.tif 000007
【図６】
2007181533.tif 000008
【図７】
2007181533.tif 000009
【図８】
2007181533.tif 000010
【図９】
2007181533.tif 000011
【図１０】
2007181533.tif 000012
【図１１】
2007181533.tif 000013
【図１２】
2007181533.tif 000014
【図１３】
2007181533.tif 000015
【図１４】
2007181533.tif 000016
【図１５】
2007181533.tif 000017
【図１６】
2007181533.tif 000018